(57)【特許請求の範囲】
【請求項１】
集塵機に設けられた筒状のフィルタ交換口を通して、当該集塵機の内部へ挿入されるフィルタと、
使用済フィルタを回収する際に当該フィルタを収容する回収袋と、
を備えた集塵機用フィルタ装置において、
前記回収袋は、筒状に形成されていて、両端に開口部を有しており、
一方の開口部は、当該回収袋を前記フィルタ交換口に対して着脱するための着脱手段を備えており、
他方の開口部は、前記フィルタの端部に設けられた突起部に挿入され、当該突起部に密着状態で固定されており、
前記フィルタは、前記端部に前記突起部を囲む筒部を有しており、
前記突起部と前記筒部との間に、前記回収袋を収納する収納空間が形成されていることを特徴とする集塵機用フィルタ装置。
【請求項２】
請求項１に記載の集塵機用フィルタ装置において、
前記筒部の先端に、外側へ突出するフランジ部が形成されており、
前記フランジ部に、当該フランジ部と前記フィルタ交換口との間を封止する封止部材が設けられていることを特徴とする集塵機用フィルタ装置。
【請求項３】
請求項１または請求項２に記載の集塵機用フィルタ装置において、
前記突起部に、フィルタ交換時に手で把持される把持具が着脱自在に取り付けられていることを特徴とする集塵機用フィルタ装置。
【請求項４】
含塵気流が導入される一次側ハウジングと、
前記一次側ハウジング内に設けられ、前記含塵気流を濾過するフィルタ装置と、
前記一次側ハウジングと隣接し、前記フィルタ装置で濾過された清浄気流が導入される二次側ハウジングと、
前記一次側ハウジングに設けられた筒状のフィルタ交換口と、
を備えた集塵機において、
前記フィルタ装置が、請求項１ないし請求項３のいずれかに記載のフィルタ装置であり、
前記フィルタ装置をその挿入方向に押圧する押圧手段が設けられていることを特徴とする集塵機。
【請求項５】
請求項４に記載の集塵機において、
前記フィルタ交換口および前記回収袋を覆う蓋を備えていることを特徴とする集塵機。
【請求項６】
請求項４または請求項５に記載の集塵機における使用済のフィルタを新しいフィルタに交換する方法であって、
使用済フィルタに付属している前記回収袋を前記フィルタ交換口に固定したままの状態で、前記使用済フィルタを前記フィルタ交換口から取り出す工程と、
前記回収袋を、取り出した使用済フィルタが収容されている部分と、前記フィルタ交換口に固定されている部分との間において結束した後、当該結束部分の中間部を切断することにより、使用済フィルタが収容された廃棄部分と、前記フィルタ交換口に残留する残留部分とに分離する工程と、
新フィルタを収容した新回収袋を、前記残留部分を覆うように前記着脱手段で前記フィルタ交換口に固定する工程と、
前記フィルタ交換口に固定された前記新回収袋を介して、前記残留部分を前記フィルタ交換口から取り外して当該新回収袋へ回収する工程と、
前記新フィルタを、前記新回収袋より露出させつつ前記フィルタ交換口から前記集塵機の内部へ挿入する工程と、
を備えたことを特徴とするフィルタ交換方法。
【請求項７】
請求項６に記載のフィルタ交換方法において、
前記新フィルタを前記集塵機の内部へ挿入した後、前記新回収袋を、前記新フィルタに設けられた収納空間に収納する工程と、
前記新回収袋を前記収納空間に収納した後、前記フィルタ交換口および前記収納空間を覆うように蓋を取り付ける工程と、
前記蓋を押圧手段により押圧する工程と、
をさらに備えたことを特徴とするフィルタ交換方法。
【請求項８】
請求項６に記載のフィルタ交換方法において、
前記新回収袋は、側面にポケット部を有しており、
前記ポケット部を介して、前記残留部分を前記フィルタ交換口から取り外して回収することを特徴とするフィルタ交換方法。
【請求項９】
請求項６に記載のフィルタ交換方法において、
前記フィルタは、フィルタ交換時に手で把持される着脱自在な把持具を備えており、
前記回収袋の前記廃棄部分を前記残留部分から分離した後、前記把持具を取り外して再利用することを特徴とするフィルタ交換方法。
【発明の詳細な説明】
【技術分野】
【０００１】
本発明は、気体中のダストを捕集する集塵機に使用されるフィルタ装置、およびそれを用いた集塵機に関し、また、当該フィルタ装置における使用済のフィルタを新しいフィルタに交換する方法に関する。
【背景技術】
【０００２】
ダストの発生する作業現場に設置される集塵機には、一次側に導入される含塵気流を濾過して、清浄気流として二次側へ送出するフィルタが装備される。フィルタは、濾過を繰り返すことにより目詰まり等が生じ、濾過性能が劣化するので、一定期間使用したフィルタは、新しいフィルタと交換する必要がある。この交換にあたっては、特に食品工場や薬品工場のようにダストの飛散・暴露が問題になる場所において、使用済のフィルタに付着しているダストが飛散・曝露しないように、フィルタを集塵機から取り出す際に回収袋へ収容し、その後、新しいフィルタを集塵機にセットする。
【０００３】
下記の特許文献１には、このような回収袋を用いてフィルタを交換する方法が記載されている。特許文献１では、次のような手順に従ってフィルタの交換が行われる。
（１）新フィルタ収容用の収容スペース部と、使用済フィルタ回収用の回収スペース部とを有する二股形状の回収袋を用意し、収容スペース部へ新フィルタを収納した後、当該収容スペース部の入口部分を、結束手段により仮閉塞する。
（２）回収袋の口元を、集塵機のフィルタ取付口（フィルタ交換口）に取付ける。
（３）フィルタ取付口を密閉する蓋を外し、外した蓋を回収袋の中に置いた状態のまま、集塵機内の使用済フィルタをフィルタ取付口より取り出して回収袋の回収用スペース部の中に回収する。
（４）使用済フィルタが回収された回収用スペース部の入口部分を、上下長手方向に間隔をあけて２箇所で固着または緊縛する。
（５）固着または緊縛された閉塞部の中間部を切り離して、使用済フィルタを収めた回収用スペース部を回収袋から切り離す。
（６）収容スペース部の入口を仮閉塞していた結束手段を取り外して、収容スペース部を回収袋の内部に連通させる。
（７）新フィルタを、収容スペース部より回収袋およびフィルタ取付口を通して、集塵機内部に挿入して取付ける。
（８）回収袋内に置かれている蓋を、フィルタ取付口に取付けて密閉する。
【先行技術文献】
【特許文献】
【０００４】
【特許文献１】特許第４６８６３２６号公報
【発明の概要】
【発明が解決しようとする課題】
【０００５】
特許文献１のフィルタ交換方法においては、１本のフィルタの交換に、フィルタ２本が入る二股の特殊な回収袋を用意する必要があり、不経済である。また、回収袋の収容スペース部の入口部分を予め結束手段で仮閉塞して、新フィルタのセット前に結束手段を取り外す作業や、新フィルタのセット後に、回収袋をフィルタ取付口付近で結束して余剰部分を切断する作業などを必要とし、工程数が増加してフィルタ交換に手間がかかる。さらに、使用済フィルタ取出し時のダスト飛散を防止するためには、回収袋をフィルタ取付口に取り付けた状態で、回収袋越しにフィルタ取付口の蓋を取り外す必要があり、作業が困難で回収袋が破損することがある。また、フィルタ取出し時に、回収袋内に飛散したダストで蓋の外面が汚染されるという問題もある。
【０００６】
本発明は、上記のような問題点に鑑み、ダストの飛散および曝露を防止しながら、使用済フィルタを新しいフィルタに交換する際の作業を容易にするとともに、コストを低減することを目的としている。
【課題を解決するための手段】
【０００７】
本発明に係る集塵機用フィルタ装置は、集塵機に設けられた筒状のフィルタ交換口を通して、当該集塵機の内部へ挿入されるフィルタと、使用済フィルタを回収する際に当該フィルタを収容する回収袋とを備えている。回収袋は、筒状に形成されていて、両端に開口部を有している。一方の開口部は、当該回収袋をフィルタ交換口に対して着脱するための着脱手段を備えている。また、他方の開口部は、フィルタの端部に設けられた突起部に挿入され、当該突起部に密着状態で固定されている。さらに、フィルタの端部に突起部を囲む筒部が設けられ、突起部と筒部との間に、回収袋を収納する収納空間が形成されている。
【０００８】
このような構成によれば、回収袋は単純な筒状のものを用いればよく、特許文献１のような二股の特殊な回収袋を用意する必要がないので、袋のコストを低減して安価なフィルタ装置を提供することができる。また、回収袋の開口部が着脱手段によりフィルタ交換口に取り付けられた状態、すなわちフィルタ交換口が回収袋で覆われた状態で、使用済のフィルタを取り出すことができるので、取り出し時に、フィルタに付着したダストが飛散するのを防止することができる。
【０００９】
本発明のフィルタ装置において、筒部の先端に、外側へ突出するフランジ部を形成し、このフランジ部に、当該フランジ部とフィルタ交換口との間を封止する封止部材を設けてもよい。
【００１１】
上記のように設けられた封止部材により、含塵気流がフィルタ交換口とフィルタとの隙間から回収袋の内部へ流入して回収袋が膨張・破損するのを阻止することができる。また、封止部材はフィルタに装備されているので、フィルタを交換するたびに、封止部材が新しいものに取り替えられる。このため、集塵機を長期間にわたって使用しても、封止性能が損なわれることがない。
【００１２】
本発明のフィルタ装置において、フィルタの突起部に、フィルタ交換時に手で把持される把持具を着脱自在に取り付けてもよい。この把持具は、使用済フィルタを廃棄した後、新しいフィルタに取り付けて再利用することができる。
【００１３】
次に、本発明に係る集塵機は、含塵気流が導入される一次側ハウジングと、この一次側ハウジング内に設けられ、含塵気流を濾過するフィルタ装置と、一次側ハウジングと隣接し、フィルタ装置で濾過された清浄気流が導入される二次側ハウジングと、一次側ハウジングに設けられた筒状のフィルタ交換口とを備えた集塵機であって、フィルタ装置として上述した本発明のフィルタ装置を用いるとともに、当該フィルタ装置をその挿入方向に押圧する押圧手段を設けたものである。
【００１４】
本発明の集塵機では、フィルタ交換口および回収袋を覆う蓋を設けてもよい。
【００１５】
次に、本発明に係るフィルタ交換方法は、上述した集塵機における使用済のフィルタを新しいフィルタに交換する方法であって、以下の工程を備える。
（ａ）使用済フィルタに付属している回収袋をフィルタ交換口に固定したままの状態で、使用済フィルタをフィルタ交換口から取り出す工程。
（ｂ）回収袋を、取り出した使用済フィルタが収容されている部分と、フィルタ交換口に固定されている部分との間において結束した後、当該結束部分の中間部を切断することにより、使用済フィルタが収容された廃棄部分と、フィルタ交換口に残留する残留部分とに分離する工程。
（ｃ）新フィルタを収容した新回収袋を、残留部分を覆うように着脱手段でフィルタ交換口に固定する工程。
（ｄ）フィルタ交換口に固定された新回収袋を介して、残留部分をフィルタ交換口から取り外して当該新回収袋へ回収する工程。
（ｅ）新フィルタを、新回収袋より露出させつつフィルタ交換口から集塵機の内部へ挿入する工程。
【００１６】
このような方法によれば、特許文献１のような、回収袋の開口部を結束手段で仮閉塞して、新フィルタのセット前に結束部材を取り外す作業や、新フィルタのセット後に、回収袋を結束して余剰部分を切断する作業などが不要となり、工程数が減少してフィルタを迅速に交換することができる。また、回収袋越しに行う作業は、旧回収袋の残留部分を取り外す作業のみであり、フィルタ交換口の蓋などを取り外す作業は回収袋越しに行う必要がないので、作業が容易で、回収袋が破損するおそれもなくなる。
【００１７】
本発明のフィルタ交換方法において、新フィルタを集塵機の内部へ挿入した後、新回収袋を、新フィルタに設けられた収納空間に収納する工程と、新回収袋を収納空間に収納した後、フィルタ交換口および収納空間を覆うように蓋を取り付ける工程と、蓋を押圧手段により押圧する工程とをさらに備えていてもよい。
【００１８】
本発明のフィルタ交換方法において、新回収袋は、側面にポケット部を有していてもよい。この場合、ポケット部を介して、旧回収袋の残留部分をフィルタ交換口から取り外して回収する。
【００１９】
本発明のフィルタ交換方法において、フィルタ交換時に手で把持される着脱自在な把持具をフィルタが備えている場合、回収袋の廃棄部分を残留部分から分離した後、把持具を取り外して再利用するようにしてもよい。
【発明の効果】
【００２０】
本発明によれば、ダストの飛散および曝露を防止しながら、作業工程が減ってフィルタの交換作業を容易に行うことができるとともに、回収袋の形状が単純化されてコストを低減することが可能となる。
【図面の簡単な説明】
【００２１】
【図１】本発明の実施形態に係る集塵機の側面図である。
【図２】同集塵機の正面図である。
【図３】同集塵機の斜視図である。
【図４】押圧手段の一部を解放した状態を示す要部斜視図である。
【図５】蓋を取り外した状態の要部斜視図である。
【図６】使用済フィルタを取り出した状態を示す要部斜視図である。
【図７】回収袋を示した斜視図、上面図、および正面図である。
【図８】本発明の実施形態に係るフィルタ装置の断面図である。
【図９】フィルタ装置を集塵機にセットした状態を示す断面図である。
【図１０】フィルタの交換手順を説明するための断面図（蓋取外し状態）である。
【図１１】フィルタの交換手順を説明するための断面図（使用済フィルタ引出し状態）である。
【図１２】フィルタの交換手順を説明するための断面図（使用済フィルタ引出し完了状態）である。
【図１３】フィルタの交換手順を説明するための断面図（回収袋結束状態）である。
【図１４】フィルタの交換手順を説明するための断面図（回収袋切断状態）である。
【図１５】フィルタの交換手順を説明するための断面図（固定バンド取外し状態）である。
【図１６】フィルタの交換手順を説明するための断面図（新回収袋取付け状態）である。
【図１７】フィルタの交換手順を説明するための断面図（袋残留部分取外し状態）である。
【図１８】フィルタの交換手順を説明するための断面図（固定バンド取付け状態）である。
【図１９】フィルタの交換手順を説明するための断面図（新フィルタ挿入状態）である。
【図２０】フィルタの交換手順を説明するための断面図（新フィルタ挿入完了状態）である。
【図２１】着脱自在な把持具を備えている実施形態の断面図である。
【図２２】蓋を使用しない実施形態の断面図である。
【図２３】封止部材を他の場所に設けた実施形態の断面図である。
【図２４】図２３の封止部材を具備しない実施形態の断面図である。
【図２５】図２４のフィルタ装置を集塵機にセットした状態を示す断面図である。
【図２６Ａ】本発明に係るフィルタ交換方法の手順を模式的に示した図である。
【図２６Ｂ】図２６Ａの続きの図である。
【図２７】把持具の再利用を説明する図である。
【発明を実施するための形態】
【００２２】
以下、本発明の実施形態につき図面を参照しながら説明する。各図において、同一の部分または対応する部分には、同一の符号を付してある。
【００２３】
図１〜図３は、本発明の実施形態に係る集塵機１００を示している。集塵機１００は、上部に、一次側ハウジング１と、この一次側ハウジング１と隣接する二次側ハウジング２と、一次側ハウジング１の内部に装備されたフィルタ３と、一次側ハウジング１に設けられたフィルタ交換口（後述）を覆う蓋４と、この蓋４を押圧する押圧手段５とを備えている。一次側ハウジング１には、含塵気流が導入される吸気口１３が設けられている。二次側ハウジング２には、フィルタ清掃用の圧縮空気を溜めておくタンク１４が連結されている。
【００２４】
押圧手段５は、図４に示すように、２本の開閉自在なバー５ａと、これらのバー５ａを一端側で回動可能に支持する支持部５ｂと、これらのバー５ａを他端側でロックするロック部５ｃとを備えている。フィルタ３の交換時には、ロック部５ｃのロックを解除してバー５ａを回動させて開くことにより、図５に示すように蓋４を取り外すことができ、続いて、図６に示すように、使用済のフィルタ３を、フィルタ交換口２２から取り出して回収袋２０に収容することができる。フィルタ交換口２２は、一次側ハウジング１の前壁１ａから突出するように、円筒状に形成されている。
【００２５】
図７は、回収袋２０の一例を示した図である。回収袋２０は、塩化ビニールやポリエチレンなどの透明な材質から円筒状に形成されていて、両端に開口部２０ａ、２０ｂを有するとともに、側面にポケット部２０ｃを有している。一方の開口部２０ａは、当該回収袋２０をフィルタ交換口２２（図６参照）に対して着脱するための着脱手段を備えている。ここでは、着脱手段は、開口部２０ａを絞る紐２１と、この紐２１の絞り度合いを調節するための調節部材２１ａとからなる。但し、これは一例であって、着脱手段としてゴムリング等の他の手段を採用してもよい。また、ポケット部２０ｃは必須ではなく、省略してもよい。
【００２６】
図１〜図３のように、集塵機１００は、下部に、ハウジング１、２を支持する支持脚６と、一次側ハウジング１から落下するダストを貯留するホッパ７と、ホッパ７に溜まったダストをハンドル９の操作により排出する排出バルブ８と、排出バルブ８から排出されるダストを回収するダストボックス１０と、ダストボックス１０の上下位置を調節するための昇降手段１１と、昇降手段１１を載置した台車１２とを備えている。
【００２７】
上述した集塵機１００において、吸気口１３から一次側ハウジング１内に導入された含塵気流は、フィルタ３で濾過されて清浄気流となって、二次側ハウジング２へ導入され、二次側ハウジング２の図示しない排気口を通って外部へ排気される。フィルタ３で捕集されたダストは、一次側ハウジング１の下方に位置するホッパ７へ落下し、ここに貯留される。ホッパ７に溜まったダストの量が一定以上になると、ハンドル９を操作して排出バルブ８を開き、ホッパ７内のダストをダストボックス１０へ回収する。
【００２８】
次に、本発明の実施形態に係るフィルタ装置につき、図８を参照しながら説明する。フィルタ装置２００は、フィルタ３と、このフィルタ３に装着される回収袋２０とからなる。なお、図８の回収袋２０では、図７で示したポケット部２０ｃは省略されている（図９〜図２５においても同様）。
【００２９】
フィルタ３は、円筒形をしており、濾過材からなる筒部３１と、筒部３１の一方の端部にある端壁３１ａと、筒部３１の他方の端部にある端壁３１ｂとを有している。端壁３１ｂの中央には、通気口３２が形成されており、この通気口３２の周縁に、封止部材であるパッキン３３が装着されている。
【００３０】
端壁３１ａは、筒部３１の一方側を閉塞している。端壁３１ａの中央部には、通気口３２と反対側に突出する突起部３７が設けられている。突起部３７は、先端に大径部３７ａを備えている。また、端壁３１ａの周縁部には、突起部３７を囲む筒部３４が設けられている。このため、突起部３７と筒部３４との間に、回収袋２０を折りたたんで収納する収納空間Ｓが形成されている。筒部３４の先端には、外側へ突出するフランジ部３５が形成されており、このフランジ部３５の内側に、封止部材であるパッキン３６が装着されている。
【００３１】
回収袋２０の開口部２０ｂは、フィルタ３の突起部３７に挿入されており、突起部３７の根元側（大径部３７ａと反対側）において、突起部３７に対し密着状態で固定されている。この固定手段として、ここでは固定バンド４０が用いられるが、これ以外に紐などの手段を用いてもよい。固定バンド４０は、回収袋２０の開口部２０ｂを突起部３７に挿入した状態で、開口部２０ｂの外側から突起部３７に緊着される。突起部３７には、固定バンド４０を位置決めするための位置決めリング３８が、溶接等により固着されている。
【００３２】
図８からわかるように、回収袋２０の開口部２０ｂがフィルタ３の突起部３７に固定された状態で、フィルタ３を回収袋２０で覆った場合、回収袋２０の先端側の開口部２０ａは、フィルタ３の端壁３１ｂよりも外側に位置する。
【００３３】
図９は、フィルタ装置２００を集塵機１００の一次側ハウジング１（図１参照）にセットした状態を示す。一次側ハウジング１の前壁１ａには、前述のように円筒状のフィルタ交換口２２が設けられている。フィルタ３は、先端側のパッキン３３が一次側ハウジング１の後壁１ｂに当接する位置まで、フィルタ交換口２２から挿入される。
【００３４】
この状態では、フィルタ３の筒部３４がフィルタ交換口２２内に位置するとともに、フランジ部３５に装着されたパッキン３６が、フランジ部３５とフィルタ交換口２２の先端との間に介在する。一方、パッキン３３は、フィルタ３の端壁３１ｂと一次側ハウジング１の後壁１ｂとの間に介在する。
【００３５】
一次側ハウジング１の後壁１ｂには、フィルタ３の通気口３２と対応して、通気口１ｄが形成されている。一次側ハウジング１内に導入された含塵気流Ｘは、フィルタ３で濾過された後、清浄気流Ｙとなって、通気口３２、１ｄを通って二次側ハウジング２（図１参照）へ送出される。
【００３６】
回収袋２０は、先端側の開口部２０ａを残して、折りたたんで収納空間Ｓに収納されている。この場合、回収袋２０は、フィルタ３やフィルタ交換口２２などに挟まれることがないので、破損が防止される。開口部２０ａは、フィルタ交換口２２の外周に、固定バンド４２により固定されている。なお、固定手段としては、固定バンド４２以外に紐などを用いることもできる。固定バンド４２は、回収袋２０の開口部２０ａをフィルタ交換口２２に被せた状態で、開口部２０ａの外側からフィルタ交換口２２に緊着される。フィルタ交換口２２には、固定バンド４２を位置決めするための位置決めリング４１ａ、４１ｂが、溶接等により固着されている。
【００３７】
また、フィルタ交換口２２および収納空間Ｓを覆う蓋４が、一次側ハウジング１の前壁１ａに、突起などによって位置決めされて取り付けられている。蓋４の内壁は、フィルタ３の突起部３７の大径部３７ａに当接している。そして、この蓋４は、押圧手段５により、フィルタ３の挿入方向に押圧されることで、前壁１ａに固定される。このため、蓋４および突起部３７を介して、フィルタ３に挿入方向の押圧力が働く。この力により、パッキン３６は、フランジ部３５とフィルタ交換口２２の先端との間に挟着され、両者の間を封止する。また、パッキン３３は、端壁３１ｂと後壁１ｂとの間に挟着され、両者の間を封止する。
【００３８】
その結果、一次側ハウジング１内を流れる含塵気流Ｘが、フィルタ交換口２２と筒部３４との隙間から回収袋２０の内部へ流入して回収袋２０が膨張・破損するのを、パッキン３６により阻止することができる。また、一次側ハウジング１内を流れる含塵気流Ｘが、後壁１ｂと端壁３１ｂとの間から二次側ハウジング２へ漏れるのを、パッキン３３により阻止することができる。
【００３９】
さらに、フィルタ３の清掃時において、タンク１４から二次側ハウジング２を介して一次側ハウジング１へ圧縮空気を送り込んで、フィルタ３に付着しているダストを払い落とす際に、圧縮空気がフィルタ交換口２２とフィルタ３の隙間から噴出して回収袋２０が破損するのを、パッキン３６により阻止することができる。
【００４０】
次に、使用済のフィルタを新しいフィルタに交換する場合の手順について、図１０〜図２０を参照しながら説明する。
【００４１】
最初に、押圧手段５による押圧を解除して、蓋４を取り外し、図１０の状態とする。押圧を解除するにあたっては、図４で述べたように、バー５ａのロックを解除し、バー５ａを回動させて開く。
【００４２】
次に、図１１に示すように、使用済フィルタ３を矢印Ａ方向に移動させながら、フィルタ交換口２２より外部へ引き出す。このときの作業は、引き出されたフィルタ３を支えるための交換用補助具（図示省略）を、集塵機１００の本体に取り付けた状態で行われる。フィルタ３の突起部３７には大径部３７ａが設けられているので、この大径部３７ａを手で把持しながら、使用済フィルタ３を容易に取り出すことができる。
【００４３】
また、回収袋２０の開口部２０ａ側はフィルタ交換口２２に固定されているので、使用済フィルタ３を引き出してゆくと、これに伴って、回収袋２０が収納空間Ｓから繰り出される。その結果、使用済フィルタ３は、回収袋２０の中に収容されてゆく。図１２は、使用済フィルタ３の引き出しが完了した状態を示している。
【００４４】
次に、図１３に示すように、回収袋２０を、使用済フィルタ３が収容されている部分と、フィルタ交換口２２に固定されている部分との間の２箇所において、結束部材４５ａ、４５ｂにより結束する。そして、２箇所の結束部分の中間部を切断することにより、使用済フィルタ３が収容されている部分を分離する。この分離された部分は、廃棄される。
【００４５】
その結果、図１４に示すように、フィルタ交換口２２には、回収袋２０の残留部分２０ｄだけが残る。この残留部分２０ｄの下部は、結束部材４５ａにより結束されているので、フィルタ交換口２２は残留部分２０ｄによって閉塞されている。このため、フィルタ交換口２２から外部へダストが飛散するのが防止される。
【００４６】
次に、図１４における固定バンド４２を取り外して、図１５に示す状態とする。このとき、回収袋２０の残留部分２０ｄは、紐２１だけでフィルタ交換口２２に保持されている。
【００４７】
次に、図１６に示すように、新フィルタ３’および新回収袋２０’からなる新フィルタ装置２００’を用意し、新回収袋２０’を、旧回収袋の残留部分２０ｄに被せるようにして、紐２１’でフィルタ交換口２２の外周に取り付ける。
【００４８】
続いて、新回収袋２０’越しに残留部分２０ｄの紐２１を緩めて、図１７に示すように、残留部分２０ｄをフィルタ交換口２２から取り外し、新回収袋２０’内に回収する。このとき、新回収袋２０’として、図７に示したようなポケット部２０ｃを有する回収袋を用いた場合は、ポケット部２０ｃを袋内に押し込むように手を差し入れることで、袋越しに残留部分２０ｄを容易に取り外すことができる。
【００４９】
次に、図１８に示すように、固定バンド４２をフィルタ交換口２２に取り付けて、新回収袋２０’をフィルタ交換口２２に堅固に固定する。
【００５０】
次に、図１９に示すように、新フィルタ３’を、矢印Ｂ方向に移動させて新回収袋２０’より露出させつつ、フィルタ交換口２２から集塵機の内部へ挿入する。集塵機内には、新フィルタ３’を案内するガイド部１ｃが設けられている。この挿入作業も、前述した交換用補助具を用いて、突起部３７の大径部３７ａを手で把持した状態で行われる。
【００５１】
新フィルタ３’の挿入が完了すると、図２０に示すように、新回収袋２０’を収納空間Ｓに折りたたんだ状態で収納し、フィルタ交換口２２と収納空間Ｓを覆うように蓋４を取り付ける。その後、押圧手段５によって蓋４を押圧する。以上により、新フィルタ装置２００’を集塵機内にセットする作業が完了する。
【００５２】
図２６Ａ、図２６Ｂは、上述したフィルタ交換の手順を模式的に表した図である。
【００５３】
図２６Ａ（ａ）は、使用済フィルタ３が集塵機にセットされている状態を示している（図９に対応）。
【００５４】
図２６Ａ（ｂ）は、蓋４を取り外し、使用済フィルタ３に付属している回収袋２０をフィルタ交換口２２に固定したままの状態で、使用済フィルタ３をフィルタ交換口２２から取り出す工程を示している（図１０、図１１に対応）。
【００５５】
図２６Ａ（ｃ）は、使用済フィルタ３の取り出しが完了した状態を示している（図１２に対応）。
【００５６】
図２６Ａ（ｄ）は、回収袋２０を、取り出した使用済フィルタ３が収容されている部分と、フィルタ交換口２２に固定されている部分との間において結束部材４５ａ、４５ｂで結束し、結束部分の中間部を切断することにより、使用済フィルタ３が収容された廃棄部分と、フィルタ交換口２２に残留する残留部分とに分離する工程を示している（図１３、図１４に対応）。
【００５７】
図２６Ａ（ｅ）は、フィルタ交換口２２に取り付けられていた固定バンド４２を取り外した状態を示している（図１５に対応）。
【００５８】
図２６Ａ（ｆ）は、新フィルタ３’を収容した新回収袋２０’を、旧回収袋の残留部分２０ｄを覆うように紐２１’でフィルタ交換口２２に固定する工程を示している（図１６に対応）。なお、ここでは、新回収袋２０’にポケット部２０ｃが設けられている。
【００５９】
図２６Ｂ（ｇ）は、フィルタ交換口２２に固定された新回収袋２０’を介して、旧回収袋の残留部分２０ｄをフィルタ交換口２２から取り外し、新回収袋２０’内へ回収する工程を示している（図１７に対応）。ここでは、残留部分２０ｄをポケット部２０ｃに回収しているが、ポケット部２０ｃ以外の場所に回収してもよい。
【００６０】
図２６Ｂ（ｈ）は、固定バンド４２により新回収袋２０’をフィルタ交換口２２に固定する工程を示している（図１８に対応）。
【００６１】
図２６Ｂ（ｉ）は、新フィルタ３’を、新回収袋２０’より露出させつつフィルタ交換口２２から集塵機内へ挿入する工程を示している（図１９に対応）。
【００６２】
図２６Ｂ（ｊ）は、新フィルタ３’の挿入が完了した状態を示している。
【００６３】
図２６Ｂ（ｋ）、（Ｌ）は、新回収袋２０’を収納空間Ｓに収納して、フィルタ交換口２２と収納空間Ｓを覆うように蓋４を取り付ける工程を示している（図２０に対応）。なお、図２６Ｂ（Ｌ）の後は、前述したように、押圧手段５で蓋４を押圧する工程が実行される（図示省略）。
【００６４】
以上述べた実施形態によれば、回収袋２０は単純な筒状のものを用いればよく、特許文献１のような二股の特殊な回収袋を用意する必要がないので、袋のコストを低減して安価なフィルタ装置を提供することができる。また、回収袋２０の開口部２０ａが紐２１によりフィルタ交換口２２に取り付けられた状態、すなわちフィルタ交換口２２が回収袋２０で覆われた状態で、使用済のフィルタ３を取り出すことができるので、取り出し時に、フィルタ３に付着したダストが飛散するのを防止することができる。
【００６５】
また、パッキン３６、４７により、含塵気流がフィルタ交換口２２とフィルタ３との隙間から回収袋２０の内部へ流入して回収袋２０が膨張・破損するのを阻止することができる。しかも、パッキン３６、４７はフィルタ３に装備されているので、フィルタ３を交換するたびに、パッキン３６、４７が新しいものに取り替えられる。このため、集塵機１００を長期間にわたって使用しても、封止性能が損なわれることがない。
【００６６】
また、特許文献１のような、回収袋の開口部を結束手段で仮閉塞して、新フィルタのセット前に結束部材を取り外す作業や、新フィルタのセット後に、回収袋を結束して余剰部分を切断する作業などが不要となり、工程数が減少してフィルタ３を迅速に交換することができる。また、回収袋２０越しに行う作業は、旧回収袋の残留部分２０ｄを取り外す作業のみであり、フィルタ交換口２２の蓋４などを取り外す作業は回収袋２０越しに行う必要がないので、作業が容易で、回収袋２０が破損するおそれもなくなる。さらに、回収袋２０がどの部分にも挟まれないので、袋の破損をより効果的に防止することができる。また、蓋４はフィルタ３に装着されている回収袋２０の外側に取り付けられるので、蓋４の内面および外面がダストで汚染される恐れがない。
【００６７】
次に、本発明の他の実施形態につき、図２１〜図２５を参照しながら説明する。
【００６８】
図２１に示す実施形態は、フィルタ３の突起部３７に、フィルタ交換時に手で把持される把持具４６を着脱自在に取り付けたものである。突起部３７と把持具４６とは、例えばネジにより連結される。この実施形態によると、後述するように、フィルタ交換時に把持具４６を再利用することができる。なお、本実施形態の構造は、以下に述べる図２２〜図２５の実施形態においても、採用することができる。
【００６９】
図２２に示す実施形態は、蓋４を省略して、押圧手段５でフィルタ３の突起部３７を直接押圧するようにしたものである。この実施形態のように蓋４がなくても、パッキン３６は回収袋２０の内側にあるので、仮にパッキン３６の部分で含塵気流が漏れたとしても、含塵気流は回収袋２０内に流入し、フィルタ交換口２２の外へ漏れることはない。
【００７０】
図２３に示す実施形態は、図８等における筒部３４やフランジ部３５を省略し、フィルタ３を集塵機内に挿入した状態で、突起部３７とフィルタ交換口２２との間に、回収袋２０を収納する収納空間Ｓが形成されるようにしたものである。この実施形態では、フィルタ交換口２２の内側に、フィルタ交換口２２と連続する筒状のリブ２３が設けられている。また、フィルタ３の端壁３１ａの周縁に、端壁３１ａとリブ２３との間を封止するパッキン４７が設けられている。このような構成によっても、含塵気流が回収袋２０の内部へ流入して回収袋２０が膨張・破損するのを、パッキン４７により阻止することができる。
【００７１】
図２４に示す実施形態は、図２３のフィルタ３において、パッキン４７を省略したものである。図２５は、図２４のフィルタ３を集塵機内にセットした状態を示している。図２５では、図２３におけるリブ２３は設けられていない。また、図２５では、蓋４も省略されている。この実施形態では、フィルタ交換口２２とフィルタ３との間にパッキンが介在しないが、両者の間から含塵気流が漏れても、この気流は回収袋２０内へ流入するので、回収袋２０が膨らみきるまでは、含塵気流がフィルタ交換口２２の外へ漏れることはない。
【００７２】
上述した図２１〜図２５の実施形態の場合も、フィルタ交換の際には、図２６Ａ、図２６Ｂと同様の手順が実行される。なお、図２１の実施形態の場合は、回収袋２０を廃棄部分と残留部分とに分離（図２６Ａ（ｄ））した後、図２７に示すように、把持具４６をフィルタ３の突起部３７から取り外し、新しいフィルタに取り付けて再利用する。
【００７３】
本発明では、以上述べた以外にも、種々の実施形態を採用することができる。例えば、前記の実施形態では、フィルタ交換口２２が円筒状に形成され、フィルタ３や回収袋２０も円筒状に形成されている例を挙げたが、フィルタ交換口２２は角筒状であってもよく、フィルタ３や回収袋２０も角筒状に形成されていてもよい。
【００７４】
また、前記の実施形態では、使用済フィルタを回収した回収袋２０を２箇所で結束する例を挙げたが（図１３参照）、これに代えて、回収袋２０を一定領域にわたって粘着テープ等の手段により連続的に結束してもよい。この場合は、当該領域の中間部を切断すればよい。
【００７５】
また、前記の実施形態では、筒部３４をフィルタ３と一体に設けた例を挙げたが、筒部３４をフィルタ３に着脱自在に取り付けてもよい。
【００７６】
また、前記の実施形態では、回収袋２０が紐２１と固定バンド４２の両方によりフィルタ交換口２２に固定される例を挙げたが、固定バンド４２を省略して、紐２１だけで回収袋２０をフィルタ交換口２２に固定してもよい。
【００７７】
また、前記の実施形態では、回収袋２０が装着された突起部３７を押圧手段５で押圧する例を挙げたが、回収袋２０が装着される部位と、押圧手段５で押圧される部位とは必ずしも同じである必要はない。例えば、フィルタ３側に、回収袋２０が装着される突起部と、押圧手段５で押圧される突起部とを別々に設けてもよい。また、フィルタ３側に回収袋２０が装着される突起部を設け、蓋４側に押圧用の突起部を設けてもよい。
【００７８】
また、前記の実施形態では、バー５ａを備えた押圧手段５を例に挙げたが、押圧手段として他の構成を採用してもよい。例えば、蓋４をボルトなどを用いて前壁１ａに固定し、ボルトの締め付けによって蓋４を突起部３７に押圧させてもよい。
【００７９】
また、前記の実施形態では、押圧手段５により、蓋４を前壁１ａに固定するとともに、蓋４を介してフィルタ３を押圧することで、押圧手段５が固定手段を兼ねる例を挙げたが、蓋４を固定する固定手段と、フィルタ３を押圧する押圧手段とを別々に設けてもよい。
【００８０】
また、前記の実施形態では、集塵機１００の一次側に導入される含塵気流Ｘの方向に対し、フィルタ３を通過して二次側に送出される清浄気流Ｙの方向が直交している例を挙げたが（図９参照）、本発明は、含塵気流Ｘの方向と清浄気流Ｙの方向とが同じである集塵機に対しても適用することができる。
【符号の説明】
【００８１】
１    一次側ハウジング
２    二次側ハウジング
３、３’  フィルタ
４    蓋
５    押圧手段
２０、２０’  回収袋
２０ａ、２０ｂ  開口部
２０ｃ  ポケット部
２０ｄ  残留部分
２１  紐
２２  フィルタ交換口
２３  リブ
３１ａ、３１ｂ  端壁
３５  フランジ部
３６、４７  パッキン（封止部材）
３７  突起部
４５ａ、４５ｂ  結束部材
４６  把持具
１００  集塵機
２００、２００’  フィルタ装置
Ｓ    収納空間
【図１】
0005804897.tif 000002
【図２】
0005804897.tif 000003
【図３】
0005804897.tif 000004
【図４】
0005804897.tif 000005
【図５】
0005804897.tif 000006
【図６】
0005804897.tif 000007
【図７】
0005804897.tif 000008
【図８】
0005804897.tif 000009
【図９】
0005804897.tif 000010
【図１０】
0005804897.tif 000011
【図１１】
0005804897.tif 000012
【図１２】
0005804897.tif 000013
【図１３】
0005804897.tif 000014
【図１４】
0005804897.tif 000015
【図１５】
0005804897.tif 000016
【図１６】
0005804897.tif 000017
【図１７】
0005804897.tif 000018
【図１８】
0005804897.tif 000019
【図１９】
0005804897.tif 000020
【図２０】
0005804897.tif 000021
【図２１】
0005804897.tif 000022
【図２２】
0005804897.tif 000023
【図２３】
0005804897.tif 000024
【図２４】
0005804897.tif 000025
【図２５】
0005804897.tif 000026
【図２６Ａ】
0005804897.tif 000027
【図２６Ｂ】
0005804897.tif 000028
【図２７】
0005804897.tif 000029